【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
品質基準を最適化することによって、画像ダイナミックレンジ変換演算子のセットから画像ダイナミックレンジ変換演算子を選択するための方法であって、各画像ダイナミックレンジ変換演算子はオリジナルの画像に適用されて、ダイナミックレンジが前記オリジナルの画像よりも低い、修正された画像と呼ばれる画像を取得し、
前記品質基準は、前記修正された画像と前記画像ダイナミックレンジ変換演算子によって修正された前記画像を符号化および復号化した後の再構築されたバージョンとの間で算出される歪みに応じて、各画像ダイナミックレンジ変換演算子について算出される、前記方法。
【請求項２】
前記歪みは、それらのダイナミックレンジが、前記修正されたオリジナルの画像を取得するために使用されるその変換演算子のインバースである演算子を適用することによって拡張されると、前記修正された画像および前記再構築されたバージョンの間で算出される、請求項１に記載の方法。
【請求項３】
前記品質基準は、修正および符号化されたオリジナルの画像のビットレートの関数でもある、請求項１または２に記載の方法。
【請求項４】
画像ダイナミックレンジ演算子のセットから画像ダイナミックレンジ変換演算子を選択するためのデバイスであって、前記デバイスは、
画像ダイナミックレンジ変換演算子をオリジナルの画像に適用して、ダイナミックレンジが前記オリジナルの画像のものより低い、修正された画像と呼ばれる画像を取得し、
ダイナミックレンジ変換演算子を選択するための品質基準を最適化するよう構成されるプロセッサを有し、
前記プロセッサは、前記品質基準が、前記修正された画像と前記画像ダイナミックレンジ変換演算子によって修正された画像を符号化および復号化した後の再構築されたバージョンとの間で算出される歪みに応じて、各画像ダイナミックレンジ変換演算子について算出されるよう、品質基準を最適化するようさらに構成される、前記デバイス。
【請求項５】
輝度値が所与のダイナミック値レンジに属するオリジナルの画像シーケンスを変換するための装置であって、前記装置は、値が前記オリジナルの画像シーケンスの値よりも低ダイナミック値レンジに属する、修正された輝度コンポーネントを取得するために、前記オリジナルの画像シーケンスの各画像の輝度コンポーネントに適用されるよう意図された、いくつかのダイナミックレンジ変換演算子を備え、
請求項４に記載のデバイスに従って、前記画像ダイナミックレンジ変換演算子の中からダイナミックレンジ変換演算子を選択するためのデバイスをまた備える、前記装置。
【請求項６】
オリジナルの画像に画像ダイナミックレンジ変換演算子を適用することによって取得される、ダイナミックレンジが前記オリジナルの画像のダイナミックレンジよりも低い画像を使用して、所与のダイナミックレンジの前記オリジナルの画像を符号化する方法であって、
画像ダイナミックレンジ変換演算子は、請求項１から３のいずれかに記載の方法に従って、画像ダイナミックレンジ変換演算子のセットから選択される、前記方法。
【請求項７】
画像ダイナミックレンジ変換演算子をオリジナルの画像に適用することにより取得される、ダイナミックレンジが前記オリジナルの画像のダイナミックレンジよりも低い画像を使用して、所与のダイナミックレンジの前記オリジナルの画像を符号化するためのデバイスであって、
前記画像ダイナミックレンジ変換演算子は、請求項４に記載されたデバイスに従って、画像ダイナミックレンジ変換演算子のセットから選択される、前記デバイス。
【手続補正２】
【補正対象書類名】明細書
【補正対象項目名】０１０６
【補正方法】変更
【補正の内容】
【０１０６】
図１から５において、示されるモジュールは、物理的に区別可能なユニットに対応してもしなくてもよい機能ユニットである。例えば、これらのモジュールまたはこれらのうちのいくつかは、単一のコンポーネントまたは回路内にグループ化され、または同じソフトウェアの機能を構成することができる。一方、いくつかのモジュールは、別々の物理的エントリから構成される。本発明に適合するデバイスおよびシステムは、完全なハードウェア実施形態、例えば、専用コンポーネント（例えば、ＡＳＩＣ（application specific integrated circuit）、ＦＰＧＡ（field-programmable gate array）、ＶＬＳＩ（very large scale integration）、若しくはデバイスに統合されるいくつかの電気的コンポーネントの形態で、またはハードウェア要素およびソフトウェア要素の混合の形態でも実装される。
［付記１］
品質基準を最適化することによって、画像ダイナミックレンジ変換演算子のセットから画像ダイナミックレンジ変換演算子を選択するための方法であって、各画像ダイナミックレンジ変換演算子（ＴＭＯｉ）はオリジナルの画像（Ｉ1）に適用されて（１０）、ダイナミックレンジが前記オリジナルの画像よりも低い、修正された画像（Ｉi2）と呼ばれる画像を取得し、
前記品質基準（Ｑｉ）は、前記画像ダイナミックレンジ変換演算子（ＴＭＯｉ）によって修正された前記画像（Ｉi2）を符号化および復号化した後の再構築されたバージョン（Ｉi3）から算出される歪み（Ｄｉ）に応じて、各画像ダイナミックレンジ変換演算子（ＴＭＯｉ）について算出される、前記方法。
［付記２］
前記歪み（Ｄｉ）は、前記画像ダイナミックレンジ変換演算子（ＴＭＯｉ）によって修正されたオリジナルの画像（Ｉi2）と前記再構築されたバージョン（Ｉi3）との間で算出される、付記１に記載の方法。
［付記３］
前記歪み（Ｄｉ）は、それらのダイナミックレンジが、前記修正されたオリジナルの画像（Ｉi2）を取得するために使用されるそれ（ＴＭＯｉ）のインバースである演算子（ＥＯｉ）を適用することによって拡張されると、前記修正されたオリジナルの画像（Ｉi2）および前記再構築されたバージョン（Ｉi3）の間で算出される、付記２に記載の方法。
［付記４］
前記歪みは、前記再構築されたバージョンのダイナミックレンジが、前記修正された画像を取得するために使用されるそれ（ＴＭＯｉ）のインバースである演算子（ＥＯｉ）を適用することによって拡張されると、前記オリジナルの画像および前記再構築されたバージョン（Ｉi3）の間で算出される、付記１に記載の方法。
［付記５］
前記品質基準（Ｑｉ）は、修正および符号化されたオリジナルの画像のビットレート（Ｄｉ）の関数でもある、付記２から４のいずれかに記載の方法。
［付記６］
画像ダイナミックレンジ演算子のセットから画像ダイナミックレンジ変換演算子を選択するためのデバイスであって、前記デバイスは、画像ダイナミックレンジ変換演算子（ＴＭＯｉ）をオリジナルの画像（Ｉ1）に適用して、ダイナミックレンジが前記オリジナルの画像のものより低い、修正された画像（Ｉi2）と呼ばれる画像を取得する手段、およびダイナミックレンジ変換演算子を選択するための品質基準を最適化するための手段を有し、
前記品質基準を最適化するための手段は、前記品質基準（Ｑｉ）が前記画像ダイナミックレンジ変換演算子（ＴＭＯｉ）によって修正された画像（Ｉi2）を符号化および復号化した後の再構築されたバージョンから算出される歪み（Ｄｉ）に応じて、各画像ダイナミックレンジ変換演算子（ＴＭＯｉ）について算出されるよう構成されている、前記デバイス。
［付記７］
輝度値が所与のダイナミック値レンジに属するオリジナルの画像シーケンス（ＳＩＯ）を変換するためのシステムであって、前記システムは、値が前記オリジナルの画像シーケンス（ＳＩＯ）の値よりも低ダイナミック値レンジに属する、修正された輝度コンポーネント（Ｌｄ）を取得するために、前記オリジナルの画像シーケンス（ＳＩＯ）の各画像の輝度コンポーネント（Ｌｗ）に適用されるよう意図された、いくつかのダイナミックレンジ変換演算子（ＴＭＯｉ）を備え、
付記６に記載の方法に従って、前記画像ダイナミックレンジ変換演算子の中からダイナミックレンジ変換演算子（ＴＭＯ）を選択するためのデバイスをまた備える、前記システム。
［付記８］
オリジナルの画像に画像ダイナミックレンジ変換演算子を適用することによって取得される、ダイナミックレンジが前記オリジナルの画像のダイナミックレンジよりも低い画像を使用して、所与のダイナミックレンジの前記オリジナルの画像を符号化する方法であって、
画像ダイナミックレンジ変換演算子は、付記１から５のいずれかに記載の方法に従って、画像ダイナミックレンジ変換演算子のセットから選択される、前記方法。
［付記９］
画像ダイナミックレンジ変換演算子をオリジナルの画像に適用することにより取得される、ダイナミックレンジが前記オリジナルの画像のダイナミックレンジよりも低い画像を使用して、所与のダイナミックレンジの前記オリジナルの画像を符号化するためのデバイスであって、
前記画像ダイナミックレンジ変換演算子は、付記６に記載されたデバイスに従って、画像ダイナミックレンジ変換演算子のセットから選択される、前記デバイス。